(57)【要約】【課題】  便器、貯水タンク、便所内の壁面に簡易に貼付けることができ、この貼り付けた状態で臭気を消臭することができる消臭シートを提供する。【解決手段】  消臭性を有しており、その一面に接着層４を設けた構成とし、便器、貯水タンク、便所内の壁面に押し付けることにより、便器、貯水タンク、便所内の壁面に消臭シートを貼付ることができ、便器などの貼付面からの出っ張り量を少なくした状態で臭気を消臭することができるようにした。【選択図】        図１
2005143842.tif 000002
【特許請求の範囲】
【請求項１】
消臭性を有しており、その一面に接着層を設けてあることを特徴とする消臭シート。
【請求項２】
消臭性及び保液性を有しており、その一面に粘着層を有しており、その他面に複数の図柄を有することを特徴とする消臭シート。
【発明の詳細な説明】
【技術分野】
【０００１】
本発明は、便器、便所内の壁面等に貼付る消臭シートに関する。
【背景技術】
【０００２】
便所にあっては、小水の一部が便器の上縁に飛び散ったり、便器の上縁を飛び越えたりすることがあるため、アンモニア臭等の臭いが発生する。この臭いに対して、便所内に芳香製品を置くことにより、臭気を少なくすることができるようにしている。また、便器の上縁に飛び散った小水は便器の外側周面を伝って床面に流れ落ちることになり、便器の上縁を飛び越えた小水は床面に直接落ちることになるため、床面に敷くための便所用マットが使用されている（例えば、特許文献１）。
【特許文献１】登録実用新案第３０６１５５７号公報
【発明の開示】
【発明が解決しようとする課題】
【０００３】
ところが、芳香製品は平坦部に載置されたり、壁面に吊下げられたりするため、平坦部及び壁面に対して大きく出っ張ることになり、邪魔であったし、また、床面に落ちた小水を吸収することはできなかった。床面に敷かれたマットは床面に落ちた小水を吸収することはできるが、小水が発生する臭気を消臭することはできなかった。
【０００４】
本発明は斯かる事情に鑑みてなされたものであり、主たる目的は消臭性を有し、その一面に接着層を設けることにより、貯水タンク、便器蓋、便所内の壁面に簡易に貼付けることができ、この貼付けた状態で臭気を消臭することができる消臭シートを提供することにある。
【０００５】
他の目的は消臭性及び保液性を有し、その一面に粘着層を設け、その他面に複数の図柄を設けたことにより、貯水タンク、便器蓋、便所内の壁面に簡易に貼付ることができ、しかも、壁紙の代用とすることができるとともに、臭気源の液分を吸収することができる消臭シートを提供することにある。
【課題を解決するための手段】
【０００６】
第１発明に係る消臭シートは、消臭性を有しており、その一面に接着層を設けてあることを特徴とする。
【０００７】
第１発明にあっては、貯水タンク、便器蓋、便所内の壁面に押し付けることにより、接着層の接着性によって消臭シートを貼付ることができるため、貼付面からの出っ張り量を少なくすることができ、この状態で臭気を消臭することができる。また、消臭シートは端部を摘んで引張ることにより容易に壁面から剥がすことができるため、汚損した消臭シートを洗濯機等により選択することができる。
【０００８】
第２発明に係る消臭シートは、消臭性及び保液性を有しており、その一面に粘着層を有しており、その他面に複数の図柄を有することを特徴とする。
【０００９】
第２発明にあっては、貯水タンク、便器蓋、便所内の壁面に押し付けることにより、接着層の接着性によって消臭シートを貼付ることができるため、貼付面からの出っ張り量を少なくすることができ、この状態で臭気を消臭することができる。しかも、壁面に貼付ることにより壁紙の代用とすることができるため、小水が壁面側に飛び散った場合においても、臭気源の液分を吸収することができ、臭気を消臭することができる。また、消臭シートは端部を摘んで引張ることにより容易に壁面から剥がすことができるため、汚損した消臭シートを洗濯機等により選択することができる。
【発明の効果】
【００１０】
第１発明によれば、貯水タンク、便器蓋、便所内の壁面に押し付けることにより、接着層の接着性によって消臭シートを貼付ることができるため、貼付面からの出っ張り量を少なくすることができ、この状態で臭気を消臭することができる。また、消臭シートは端部を摘んで引張ることにより容易に壁面から剥がすことができるため、汚損した消臭シートを洗濯機等により洗濯することができる。
【００１１】
第２発明によれば、貯水タンク、便器蓋、便所内の壁面に押し付けることにより、接着層の接着性によって消臭シートを貼付ることができるため、貼付面からの出っ張り量を少なくすることができ、この状態で臭気を消臭することができる。しかも、壁面に貼付ることにより壁紙の代用とすることができるため、小水が壁面側に飛び散った場合においても、臭気源の液分を吸収することができ、臭気を消臭することができる。
【発明を実施するための最良の形態】
【００１２】
以下本発明をその実施の形態を示す図面に基づいて詳述する。
実施の形態１
図１の(a) 、(b) 、(c) 、(d) は消臭シートの構成を示す表面側の斜視図、図２は消臭シートの構成を示す拡大断面図、図３は図１の(a) における消臭シートの背面側の斜視図、図４は印刷布の構成を示す平面図である。
【００１３】
本発明に係る消臭シート１は不織布によって形成されている。不織布の加工は、ポリエステル等の第１の熱可塑性繊維に該熱可塑性繊維よりも低融点で溶融する第２の熱可塑性繊維が混入された繊維を互いにからませて集合してなる比較的薄肉のシート状のウェブを形成し、このシートウェブを重ねて比較的厚肉のラップウェブを成形し、このラップウェブを第１のニードルパンチ加工によりフェルト状とし、このフェルトウェブ２，２の２枚を積層し、この積層したフェルトウェブ２，２の間に、紙のように薄い不織布に図柄がプリント印刷された印刷布３（図４参照）を積層し、この積層部材の一面を第２のニードルパンチ加工により起毛させる。この場合、各フェルトウェブ２，２の繊維及び印刷布３の繊維が起毛となり、印刷布３の図柄が積層部材の一面に描写される。例えば、薄い不織布に、鶏のくちばし３ａ及び脚３ｂの図柄がオレンジ色、鶏の目３ｃ及びキャッチフレーズの「においトリます」３ｄの図柄が黒色で夫々プリント印刷された黄色の印刷布が白色の２枚のフェルトウェブ２，２間に積層された積層部材の一面をニードルパンチ加工により起毛させた場合、くちばし３ａ及び脚３ｂの部分は薄いオレンジ色となり、目３ｃ及び「においトリます」３ｄの部分は薄い黒色となり、くちばし３ａ、脚３ｂ、目３ｃ、「においトリます」３ｄの図柄を除いた部分は薄い黄色となり、鶏の図柄を描写することができる。このように形成された不織布は良好な保液性を有すると共に、適当な程度の撓み性を有する。第１及び第２の熱可塑性繊維は、アンモニア臭に対する消臭作用を有する繊維が用いられている。尚、第１又は第２の熱可塑性繊維は非消臭性の繊維が用いられてもよい。
【００１４】
このように形成された不織布の裏面、換言すれば不織布を用いてなる消臭シート１の裏面には接着性及び保形性を有する接着層４が塗布形成してある。
【００１５】
この接着層４は粘着性を有するアクリル酸エステル共重合体及び熱可塑性繊維とよく相溶するメチルメタアクリレートブタジエン共重合体のエマルジョンに充填材を配合してなる合成樹脂材料が用いられる。
【００１６】
接着層４は次のような工程によって形成される。上述した合成樹脂材料の溶液をポンプによって送り出す送出路の中間に空気源に連通する撹拌室が設けてあり、該撹拌室に空気を吹き込みつつ撹拌室に供給された前記溶液を撹拌することによって該溶液を泡立たせ、この泡状溶液を前記送出路の出口から消臭シート１を構成する前記不織布の裏面に塗布し、この塗布された泡状溶液をドクターブレードにより均した後、約１２０℃の乾燥室で１乃至２分の間乾燥させ、この後、乾燥室から取り出し、冷却することにより粘着性を有する状態で前記泡状溶液が硬化し、複数の微小気泡を有する接着層４が形成される。尚、不織布の裏面に塗布された溶液の一部は不織布に浸透する。
【００１７】
上述の接着層４を形成するときの乾燥によって不織布の第２の熱可塑性繊維が溶融し、この第２の熱可塑性繊維によって不織布の第１の熱可塑性繊維を互いに結合することができ、さらに、第２の熱可塑性繊維と溶液のアクリル酸エステル共重合体及びメチルメタアクリレートブタジエン共重合体とが化学反応して分子間に橋かけ結合が生じ、接着層４の不織布との結合強度を高めることができるとともに、不織布の保形性を良好にでき、洗濯による皺を防ぐことができる。
【００１８】
さらに、上述の乾燥によって泡状の溶液のアクリル酸エステル共重合体とメチルメタアクリレートブタジエン共重合体とが化学反応して分子間に橋かけ結合が生じ、また、溶液の全ての泡部が微小気泡となる。この溶液のアクリル酸エステル共重合体とメチルメタアクリレートブタジエン共重合体との橋かけ結合によって接着層４の保形性を良好にでき、該保形性によって、不織布の保形性をより一層良好にでき、洗濯による皺をより一層良好に防ぐことができる。しかも、微小気泡は接着層４の表面にも生ずるため、接着層４を平坦な床面等に押し付けることによりその表面に露出する複数の微小気泡の夫々が内部空気を排出し、真空吸着作用をなし、この真空吸着作用及び前記粘着性が接着層４の接着性を高めている。
【００１９】
以上のように接着層４が形成された不織布を、鶏、猫、犬、蛙等の図柄の輪郭に裁断することにより、周縁が図柄の輪郭になっており、しかも、夫々の図柄にキャッチフレーズ等の付帯図柄を有する消臭シート１が形成される。
【００２０】
図５は本発明に係る消臭シートを貯水タンクに貼付た状態の斜視図、図６は消臭シートを便器蓋に貼付た状態の斜視図である。図中５は床面に固定される下端部から上端部の開口を縁取る上縁にかけてその内部空間が広くなるように形成された磁器製の便器であり、該便器５には、前記開口に対応する空孔をその中央に備えるＯ形の便座６と、該便座６の外形に対応する卵形の平面形状をなす便器蓋７とが、夫々の後縁に沿う略平行な枢軸により回動自在に枢支されている。また、便器５の上側には貯水タンク８が設置されている。
【００２１】
以上のような便器５及び貯水タンク８を備える便所において、本発明に係る消臭シート１は貯水タンク８の表面、便器蓋７の表面、壁面に貼付けて用いられる。
【００２２】
消臭シート１を貼付るとき、接着層４を貯水タンク８、便器蓋７、壁面に接触させて消臭シート１を押し付けることにより、接着層４の接着性、即ち、粘着性及び真空吸着作用によって消臭シート１を便器蓋７等に貼付ることができ、消臭シート１の便器蓋７等との接触状態を良好に保つことができる。また、便器蓋７等に貼付た消臭シート１は、その接着層４の粘着性及び真空吸着作用によって位置ずれを防ぐことができる。
【００２３】
消臭シート１が汚損した場合、消臭シート１の端部を摘んで消臭シート１を引張ることにより容易に便器蓋７等から剥がすことができ、汚損した消臭シート１を洗濯機等により洗濯することができる。
【００２４】
実施の形態２
図７は消臭シートの実施の形態２の構成を示す表面側の斜視図、図８は消臭シートの実施の形態２の構成を示す背面側の斜視図である。
実施の形態２の消臭シート１は壁面に床面から適宜の高さ位置にかけて貼付ることができるように比較的広い面積に形成したものであり、２枚の前記フェルトウェブ２，２と、紙のように薄い不織布に図柄がプリント印刷された印刷布３とを備える不織布によって角形に形成されている。不織布の加工は実施の形態１と同様であり、積層された２枚の無着色の前記フェルトウェブ２，２間に前記印刷布３が積層された積層部材の一面をニードルパンチ加工により起毛させることにより、各フェルトウェブ２，２の繊維及び印刷布３の繊維が起毛となり、印刷布３の図柄が積層部材の一面に描写される。例えば、薄い不織布に動物等の複数の図柄が白色の線画となるようにプリント印刷されたオレンジ色の印刷布３が白色のフェルトウェブ２，２間に積層された積層部材の一面をニードルパンチ加工により起毛させた場合、線画部分は白くなり、線画を除いた部分は薄いオレンジ色となり、複数の線画からなる図柄を描写することができる。
【００２５】
このように形成された不織布の裏面、換言すれば不織布を用いてなる消臭シート１の裏面には接着性及び保形性を有する前記接着層４が塗布形成してある。
【００２６】
以上のように接着層４が形成された不織布を適宜の大きさ及び適宜の形状、例えば角形に裁断することによって消臭シート１が形成される。この消臭シート１の接着層４の複数個所、例えば接着層４の各角部近傍には接着層４よりも強い接着力を得ることができる粘着性を有する粘着板７が接合される。
【００２７】
図９は本発明に係る消臭シートを便所内の壁面に貼付た状態の説明図である。実施の形態２の消臭シート１は例えば便所内の壁面に貼付けて用いられる。消臭シート１を貼付るとき、接着層４を壁面に接触させて消臭シート１の角部近傍を押し付けることにより、粘着板９によって消臭シート１を壁面に貼付ることができ、また、角部を摘んで引張ることにより消臭シート１を壁面から容易に剥がすことができる。
【００２８】
尚、本発明に係る消臭シート１は便所に使用される他、台所等の臭気源となりやすい場所に使用することもできる。
以上説明した実施の形態における鶏、猫、犬、蛙の図柄は図１０乃至図１３に示すように形成されている。尚、図１０乃至図１３においては平面の起毛をなくし、キャッチフレーズをなくしてある。
【図面の簡単な説明】
【００２９】
【図１】本発明に係る消臭シートの構成を示す表面側の斜視図である。
【図２】本発明に係る消臭シートの構成を示す拡大断面図である。
【図３】図１の(a) における消臭シートの背面側の斜視図である。
【図４】本発明に係る消臭シートの印刷布の構成を示す平面図である。
【図５】本発明に係る消臭シートを貯水タンクに貼付た状態の斜視図である。
【図６】本発明に係る消臭シートを便器蓋に貼付た状態の斜視図である。
【図７】本発明に係る消臭シートの実施の形態２の構成を示す表面側の斜視図である。
【図８】本発明に係る消臭シートの実施の形態２の構成を示す背面側の斜視図である。
【図９】本発明に係る消臭シートを便所内の壁面に貼付た状態の説明図である。
【図１０】図柄が鶏の消臭シートの構成を示すもので、(a) は平面図、(b) は底面図、(c) は左側面図、(d) は右側面図、(e) は背面図、(f) は正面図、(g) は(a) のＡ−Ａ’線の拡大断面図、(h) は(a) のＢ−Ｂ’線の拡大断面図である。
【図１１】図柄が猫の消臭シートの構成を示すもので、(a) は平面図、(b) は底面図、(c) は左側面図、(d) は右側面図、(e) は背面図、(f) は正面図、(g) は(a) のＣ−Ｃ’線の拡大断面図、(h) は(a) のＤ−Ｄ’線の拡大断面図である。
【図１２】図柄が犬の消臭シートの構成を示すもので、(a) は平面図、(b) は底面図、(c) は左側面図、(d) は右側面図、(e) は背面図、(f) は正面図、(g) は(a) のＥ−Ｅ’線の拡大断面図、(h) は(a) のＦ−Ｆ’線の拡大断面図である。
【図１３】図柄が蛙の消臭シートの構成を示すもので、(a) は平面図、(b) は底面図、(c) は左側面図、(d) は右側面図、(e) は背面図、(f) は正面図、(g) は(a) のＧ−Ｇ’線の拡大断面図、(h) は(a) のＨ−Ｈ’線の拡大断面図である。
【符号の説明】
【００３０】
１    消臭シート
４    接着層
９    粘着板
【図１】
2005143842.tif 000003
【図２】
2005143842.tif 000004
【図３】
2005143842.tif 000005
【図４】
2005143842.tif 000006
【図５】
2005143842.tif 000007
【図６】
2005143842.tif 000008
【図７】
2005143842.tif 000009
【図８】
2005143842.tif 000010
【図９】
2005143842.tif 000011
【図１０】
2005143842.tif 000012
【図１１】
2005143842.tif 000013
【図１２】
2005143842.tif 000014
【図１３】
2005143842.tif 000015